(57)【特許請求の範囲】
【請求項１】
一端側に第１のナットを受け容れるために設けられた第１の開口と、他端側にビットを受け容れるために設けられた第２の開口と、前記第１の開口側において当該第１のナットを保持する第１の保持部とを有する外側部材と、
前記外側部材に少なくとも一部が収容され、前記第１のナットより小径の第２のナットを保持するための第２の保持部を有し、軸方向が前記外側部材の軸方向と実質的に同じであり、前記外側部材の軸方向に沿って移動可能である内側部材と、
前記内側部材の外周面と前記外側部材の内周面との間に位置する円環部材と、
前記外側部材の内周面には円環部材を保持する円環部材保持部と、を備え、
前記円環部材の内側の所定範囲は、前記円環部材保持部における前記円環部材の保持領域の外側へ突出し、
前記内側部材の外周面には、前記内側部材における軸方向の移動にともない、前記円環部材における前記所定範囲の少なくとも一部が当接することにより、前記外側部材から前記内側部材が脱落することを防止するための膨出部が設けられ、
前記円環部材保持部は、前記円環部材を保持可能な幅を有する溝であって、その深さは当該円環部材の線径より短く、
前記外側部材の軸中心から溝の底面までの距離が、前記円環部材の中心から外周面までの長さより長い
ことを特徴とするソケット。
【請求項２】
前記第１の保持部は、
前記第１のナットの先端面における周縁部が当接される第１の当接面と、前記第１のナットの側面が当接される
第１の側面とを備え、
前記第２の保持部は、前記第２のナットの先端面における周縁部が当接される第２の当接面と、前記第２のナットの側面が当接される第２の側面とを備え、
また前記内側部材の前記第２の保持部が前記第１の保持部の前記第１の開口より奥側に位置するときに、前記第１の保持部が第１のナットを保持可能である
ことを特徴とする請求項１に記載のソケット。
【発明の詳細な説明】
【技術分野】
【０００１】
本発明はビット用のソケットに関する。
【背景技術】
【０００２】
ビット用ソケットは、一端にビットを固定することにより、インパクトドライバーやドリルドライバーに取り付けてボルトやナットの締緩作業に用いられるものである。すなわち、ビット用ソケットの一端に固定されたビットをインパクトドライバー等に取付け、さらにソケットの開口からナットを嵌入させて用いられる。インパクトドライバー等を駆動させると、ビットが回転することによりソケットが回転し、ナット等の締緩作業が実行可能となる。
【０００３】
従来のビット用ソケットには、アウターソケット及びインナーソケットを有する構成のものがあった（特許文献１，２参照）。このソケットでは、アウターソケットの内部でインナーソケットが移動する。アウターソケットにおいて所定のサイズのナットを保持することができ、インナーソケットでは、アウターソケットで保持できるナットより小径のナットを保持することが可能である。つまり、このようなビット用ソケットを用いることにより、ユーザーは異なる直径のナットの締緩作業をそれぞれ行う際に、ソケットをインパクトドライバー等から取り外さなくてもよい。
【０００４】
このような複数サイズのナットに対応したビット用ソケットは、ナットを受け容れるためのアウターソケットの開口と、インナーソケットの開口とが同じ方向を向いている。また、インナーソケットは、アウターソケットの開口側に付勢されており、インナーソケットがユーザーにより押し込まれないときは、インナーソケットの開口はアウターソケットの開口近傍に位置する。
【０００５】
ユーザーが小径のナットの締緩作業をするときは、インナーソケットでそのナットを保持させる。またユーザーが大径のナットの締緩作業をするときは、ソケットをナットに押し付けることにより、インナーソケットを開口と反対側（ビット側）に押し込み、アウターソケットでそのナットを保持させる。
【先行技術文献】
【特許文献】
【０００６】
【特許文献１】意匠登録第１３０９１０３号公報
【特許文献２】意匠登録第１３０９４１８号公報
【発明の概要】
【発明が解決しようとする課題】
【０００７】
上記のようなインナーソケットがアウターソケットの内部で軸方向に移動する構成においては、インナーソケットがアウターソケットから外れないようにする必要がある。
【０００８】
従来は、インナーソケットを外れないようにする構造が摩耗、破損する等、劣化しやすくなっていた。例えば特許文献１，２のようなビット用ソケットによれば、２点のピン（Ａ−Ａ断面図のやや左側の細かいハッチング部分）でインナーソケット全体がアウターソケットから脱落しないように留めている。しかしながら、このような構成ではピンの摩耗、破損によりインナーソケットが脱落する虞があった。例えば高所作業においてはインナーソケットの脱落、落下による事故を防止する必要がある。
【０００９】
以下の実施形態においては、インナーソケットの脱落を防止しうるビット用ソケットを提供することが可能である。
【課題を解決するための手段】
【００１０】
１つの実施形態におけるビット用ソケットは、一端側に第１のナットを受け容れるために設けられた第１の開口と、他端側にビットを受け容れるために設けられた第２の開口と、当該第１の開口側において当該第１のナットを保持する第１の保持部とを有する外側部材を備える。またビット用ソケットは、当該外側部材に少なくとも一部が収容され、第１のナットより小径の第２のナットを保持するための第２の保持部を有する内側部材を備える。またビット用ソケットにおいて、内側部材及び外側部材は、軸方向が実質的に同じであり、内側部材は外側部材の軸方向に沿って移動可能である。またビット用ソケットでは、内側部材の外周面と前記外側部材の内周面との間に位置する円環部材が設けられる。また外側部材の内周面には円環部材を保持する円環部材保持部が設けられている。円環部材の内側の所定範囲は、円環部材保持部における円環部材の保持領域の外側へ突出している。内側部材の外周面には、内側部材の軸方向の移動により、円環部材の所定範囲の少なくとも一部が当接することにより、外側部材から内側部材が脱落することを防止するための膨出部を備える。
【発明の効果】
【００１１】
実施形態におけるビット用ソケットは、円環部材により内側部材を外側部材の所定範囲に留めている。従来の構成では、外周面の円環部材および球状部材や２点のピンを用いて内側部材を留めているため、これら部材が上記のように摩耗等、劣化により内側部材を外側部材に留めておけなくなる状況が生じやすいが、上記構成によれば、耐久性が向上する。また、外側部材の外周面に円環部材を保持しているソケットと比較して、連続的で滑らかな面を呈することが可能となる。
【図面の簡単な説明】
【００１２】
【図１】実施形態のビット用ソケットにおける斜視図。
【図２】実施形態のビット用ソケットにおける正面図。
【図３】実施形態のビット用ソケットにおける平面図。
【図４】実施形態のビット用ソケットにおける右側面図。
【図５】実施形態のビット用ソケットにおける左側面図。
【図６】図４のＡ−Ａ’断面図。
【図７】実施形態のビット用ソケットにおける他の正面図。
【図８】図７における断面図。
【図９】使用状態を示す参考図。
【発明を実施するための形態】
【００１３】
図１〜図９を参照して、実施形態のビット用ソケットについて説明する。まず実施形態にかかるビット用ソケット１の全体構成について図１〜図６を参照して説明する。図１〜図５に示すように、ビット用ソケット１は、外側部材１０、内側部材２０、およびスライド部材３０を含んで構成される。
【００１４】
図１〜図５に示すように、外側部材１０は、大径の円筒部と、その円筒部の軸方向の一端側にテーパー面を介して連なって設けられた小径の円筒部とを有して構成される。大径の円筒部の一端には第１の開口１２が設けられる。この第１の開口１２は、ナットを挿入可能な直径を有する。
【００１５】
図４に示すように外側部材１０における第１の開口１２側には、多角形（例えば１２角、６角等）のナットの保持部が設けられている。この保持部について、以下、「第１の保持部１８ａ」として説明する。また第１の保持部１８ａにより保持されるナットを第１のナットとして説明する。
【００１６】
第１の保持部１８ａは、第１のナットの先端面における周縁部が当接される第１の当接面１８ｂと、当該第１のナットの側面が当接される第１の側面１８ｃとを備える。
【００１７】
図６に示すように内側部材２０は、円筒型に形成され、一端の開口側に第２の保持部２４を備える。第２の保持部２４は第１のナットより小径のナット（以下、「第２のナット」と記載する）を保持するものであり、サイズを除き、概ね第１の保持部１８ａと同様の構造を有する。したがって、符号を省略するが、第２の保持部２４も第２のナットの先端面における周縁部が当接される第２の当接面と、第２のナットの側面が当接される第２の側面とを備える。
【００１８】
図６に示すように、内側部材２０は、外側部材１０の内部に少なくとも一部が収容され、かつ内側部材２０の軸方向と、外側部材１０の軸方向とは実質的に同じ方向となる。また内側部材２０は、外側部材１０に対して当該軸方向に移動可能である。また外側部材１０の第１の保持部１８ａの第１の開口１２と、内側部材２０の第２の保持部２４の開口とは、当該軸方向において同じ方向を向くように配置される。
【００１９】
図６に示すように内側部材２０の外周面における、第２の保持部２４と反対側（外側部材１０の第２の開口１４側）には、外側部材１０の内周面側（軸方向と直交する方向）に突出する膨出部２２が設けられる。膨出部２２における突出方向と略直交する両側面のうち、一方側（第２の開口１４側）には、付勢部材Ｂの一端面が当接する。また当該両側面のうち、他方側（第１の開口１２側）には後述のように円環部材Ｒの所定範囲が当接する。
【００２０】
付勢部材Ｂは、外側部材１０に収容され、内側部材２０より第２の開口１４側に位置する。付勢部材Ｂは内側部材２０を外側部材１０における第１の開口１２側に付勢する。なお、付勢部材Ｂは例えばバネ部材である。
【００２１】
図６は、内側部材２０に対し、軸方向において第２の開口１４側へ押し込む力がかかっていない状態を示している。この状態において、第１の保持部１８ａの位置に第２の保持部２４が位置するため、このときにビット用ソケット１において保持されるナットは小径の第２のナットとなる。これに対し、図７および図８は、内側部材２０に対し、軸方向において第２の開口１４側へ押し込む力がかかっている状態を示している。第２の保持部２４は奥側（第２の開口１４側）に後退しているため、この状態において、ビット用ソケット１において保持されるナットは第１の保持部１８ａに対応する第１のナット（大径のナット）となる。
【００２２】
なお、付勢部材Ｂにより、内側部材２０が第１の開口１２側に付勢されているので、内側部材２０が外側部材１０から脱落しないようにする構成が必要となる。上記のように従来は、外側部材の内周面側で保持する２点のピン部材（円柱状部材）と、外側部材１０の外周面においてそれらピンが外側部材から脱落しないように保持する円環部材とを備える構成により内側部材の脱落を防止していた。
【００２３】
しかしながら、このような構成においては、常に円環部材が内側部材側にピンを抑えており、その状態で内側部材が軸方向に移動すると、ピンの端面と内側部材の外周面との間に摩擦が生じる。したがって、度重なる内側部材の軸方向の移動により、ピンの端面は摩耗していく。
【００２４】
さらに、内側部材を付勢部材による付勢力に抗して押し込むと、ピンの側面（ピンの軸方向に沿った面）に負荷がかかる。この力はピンの軸方向と直交する方向にかかるため、度重なる内側部材の軸方向の移動により、ピンが劣化し、破損（ピンの折れ等）する虞がある。
【００２５】
上記のようにピンの摩耗や折れ等により、内側部材を外側部材内に留められなくなると、内側部材が外側部材から脱落する虞がある。例えば建築現場等、高所作業においては、内側部材の脱落による事故を防止する必要がある。
【００２６】
これに対する本実施形態の構成につき、図６を参照して説明する。図６示すように、外側部材１０の内周面における所定位置には、円環部材Ｒの保持領域（円環部材保持部１６）が設けられている。この「所定位置」とは、内側部材２０に対して押し込む力がかかっていない状態（図６）における膨出部２２の位置より、第１の開口１２側に隣接する位置である。一例において、この円環部材保持部１６は外側部材１０に凹部を設けることにより形成される。円環部材保持部１６の深さ（軸方向と直交する方向の長さ）は、円環部材Ｒの円周方向と直交する断面の直径より短い。したがって、円環部材保持部１６は円環部材Ｒの一部を保持し、円環部材Ｒの内側は円環部材保持部１６から内側部材２０側へ突出する。なお、円環部材Ｒの内側とは、円環部材Ｒが描く円の中心側をいう。
【００２７】
内側部材２０に対して押し込む力がかかっていない状態においては、内側部材２０が外側部材１０から脱落しないように、膨出部２２の第１の開口１２側の面と、円環部材Ｒの上記内側の面が当接する。このような構成によれば、上記のようなピンでの保持と比較して、より広い面で脱落防止をしているため、耐久性が向上する。また、外側部材の外周面に円環部材を保持しているソケットと比較して、連続的で滑らかな面を呈することが可能となる。
【００２８】
次に図９を参照してスライド部材３０について説明する。上記のように、外側部材１０は、第１の保持部１８ａの位置に対応する大径部分と、付勢部材Ｂを収容する小径部分とを有するが、さらに第２の開口１４側においてビットを保持するためのビット保持領域を有する。また、ビット保持領域には、球状体を保持する球状体保持部が設けられている。
スライド部材３０は、外側部材１０におけるビット保持領域の外周面を囲うように設けられている。またスライド部材３０は、スライド部材３０は、その内側のバネ部材により第２の開口１４方向へ付勢されている。またスライド部材３０の内周面には、内側（外側部材１０のビット保持領域の外周面側）へ突出する突部が設けられている。この突部は、外側部材１０のビット保持領域における球状体保持部に対応する位置に設けられる。さらにスライド部材３０の内周面には、この突部に対して第２の開口１４側に隣接する凹部が設けられている。スライド部材３０がバネ部材の付勢力により第２の開口１４側へ付勢されているとき、付勢力に抗してスライド部材３０を第１の開口１２側に押すと、球状体がスライド部材３０の凹部に落ち込み、ビットが挿入可能となる。スライド部材３０を第１の開口１２側へ押す力を解除すると、スライド部材３０における球状体は突部によりスライド部材３０の内側に押され、ビットは図６のように球状体と突部により保持される（図９）。
【００２９】
この発明の実施形態を説明したが、上記の実施形態は例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１      ビット用ソケット
１０    外側部材
１２    第１の開口
１４    第２の開口
１６    円環部材保持部
１８ａ  第１の保持部
１８ｂ  第１の当接面
１８ｃ  第１の側面
２０    内側部材
２２    膨出部
２４    第２の保持部
３０    スライド部材
Ｂ      付勢部材
Ｒ      円環部材
【図１】
0006576872.tif 000002
【図２】
0006576872.tif 000003
【図３】
0006576872.tif 000004
【図４】
0006576872.tif 000005
【図５】
0006576872.tif 000006
【図６】
0006576872.tif 000007
【図７】
0006576872.tif 000008
【図８】
0006576872.tif 000009
【図９】
0006576872.tif 000010